(57)【要約】【課題】各参加者がそれぞれ選んだ文字または数字の組合せが、主催者側が発表する数字または文字の組み合わせに一致するか否かで当選を決めるゲームで、比較的小人数の参加者でも楽しめるようにした。【解決手段】主催者側カード１と参加者側カード２の対を複数対用意し、主催者側カードには一連の文字または数字を記したシール４、４、４・・・を粘着させておき、参加者側カード２にはカード１のシールの中から選んだ一部のシールを貼付ける空欄５、５、５を設けた。【選択図】　　　　図１
0003097086.tif 000002
【実用新案登録請求の範囲】
【請求項１】
ゲームの主催者側のカードと参加者側のカードからなるカードの対が複数対あり、主催者側のカードには一連の数字または文字をそれぞれ記したシールの１群または複数群が粘着剤で貼着されており、参加者側のカードには上記シール群の中から選択された一部のシールだけを上記群ごとに貼着する空欄が設けられていることを特徴とするゲーム用紙。
【請求項２】
請求項１において、主催者側のカードと参加者側のカードとは、切取線で結合されていることを特徴とするゲーム用紙。
【請求項３】
請求項１において、主催者側のカードには粘着剤で貼着されている上記シールの群は１群であり、参加者側のカードには上記１群のシール中から選択された一部のシールだけを貼着する空欄が設けられていることを特徴とするゲーム用紙。
【請求項４】
請求項１において、主催者側のカードに粘着剤で貼着されている上記シール群は複数群であり、これらのシール群は群ごとに色分けされており、参加者側のカードには上記各シール群に対応して色分けされた複数群の空欄が設けられていることを特徴とするゲーム用紙。
【請求項５】
請求項３において、主催者側のカードに粘着剤で貼着されている上記シールにはそれぞれ１から１０前後までの数字であり、参加者側のカードには３個の空欄が設けられていることを特徴とするゲーム用紙。
【請求項６】
請求項４において、主催者側のカードに粘着剤で貼着されている各群の上記シールにはそれぞれ１から１０前後までの数字が記され、参加者側のカードには上記各シール群に対応して群ごとに色分けされた各３個の空欄が設けられていることを特徴とするゲーム用紙。
【請求項７】
請求項４において、主催者側のカードに粘着剤で貼着されている上記各群のシールにはそれぞれ１から１０を越える数字までが記され、参加者側のカードには上記各シール群に対応して色分けされた各４個の空欄が設けられていることを特徴とするゲーム用紙。
【請求項８】
請求項１において、参加者側のカードには上記空欄の群ごとにエース・シールが粘着剤で貼着されていることを特徴とするゲーム用紙。
【考案の詳細な説明】
【０００１】
【考案の属する技術分野】
本考案は、ゲームの各参加者がそれぞれ選択した数字等が記されているカードを手元に置き、ゲームの主催者が発表する数字等に一致するか否かで当選を決めるゲームの用紙に関するものである。
【０００２】
【従来の技術】
参加者の手元に置かれたカードの数字が、主催者が発表する数字に一致するか否かで当選を決めるゲームとして、ビンゴ・ゲームが広く行われている。
【０００３】
【考案が解決しようとする課題】
ビンゴ・ゲームの場合は、手元のカードに予め印刷されている数字が、縦、横、斜の何れかの方向で主催者が次々発表する数字と一致するかを見るものであるが、ゲームが終了するまでには主催者は１００通りに近い数字を発表する必要があり、参加者が１００名前後の大勢でないと当選者がなかなか現れず、面白味が少ない。よって、本考案は、例えば参加者が３０〜４０名程度の小会合やバス車内などで十分楽しめるゲームを提供しようとするものである。
【０００４】
【課題を解決するための手段】
本考案のゲーム用紙は主催者側用のカードと参加者側のカードがそれぞれ対をなしており、このカードの対が複数対用意される。主催者側のカードには一連の数字または文字をそれぞれ記したシールが粘着剤によって貼着けられており、参加者側のカードには主催者側のカードに貼着されているシールの中から選択された一部だけを貼着する空欄が設けられている。
【０００５】
ゲームの際は、各参加者はそれぞれカードの対を主催者から受取り、主催者側のカードに貼着けられている数字または文字のシールの中から好みのものを選びだして剥し、そのシールを参加者側のカードの空欄に貼替えた上で、主催者側のカードを主催者に返却する。
主催者は上記一連の数字または文字の中から１個づつ抽出して、これを読み上げるか、或いは画像に表示する。参加者は、手元のカードに貼られているシールの数字または文字のすべてが抽出された数字または文字に一致したとき、当選となる。
【０００６】
【考案の実施の形態】
各参加者の当選率を高めたい場合は、各参加者に複数対のカードを渡してもよいが、主催者側のカードに貼着される数字または文字のシールを複数群とし、各群ごとに色彩を変えておき、これと対をなす参加者側のカードには、貼着されるシールの色彩を指定した複数群の空欄を設けておく。
各参加者は、主催者側のカードから剥離したシールを、その色彩ごとに参加者側のカードの指定された色彩の空欄に貼付ける。
そして、主催者が抽出した数字または文字に該当するシールが参加者側のカードに貼られているときは、その色彩に関係なく、そのシールが抽出されたものとする。
【０００７】
【実施例１】
図１に示すように、主催者側のカード１と参加者側のカード２とは、切取線３を境としてつながっており、主催者側のカード１には離型剤が塗布され、その上に１から１０までの数字を記したシール４、４・・・が粘着剤によって貼着されており、カード２には３個の空欄が５、５、５が設けられている。カード１及び２の右肩にはカードの対ごとに異なる通し番号６が記され、カード１の左肩には整理用の縦穴７が穿たれている。
【０００８】
ゲームの際は、主催者は各参加者に切取線３でつながった状態のカード１及び２を配付する。各参加者はシール４、４・・・のうちから好みのものを３枚を剥離し、空欄５、５、５に貼付け、主催者側のカード１を切取線３で切離して主催者に返す。主催者は回収したカード１をその縦穴７にクリップ（図示せず）を通して纏める。
【０００９】
その上で、主催者は１０個の数字から選んだ１個を発表し、以後次々に残されている数字の中から１個づつ選んで発表する。当選数字をＸ、Ｙ、Ｚと仮定すると、初回の発表でＸ、Ｙ、Ｚの何れかが現れる確率は１／１０であり、２回目では１／９、３回目の発表では１／８であるから、或る参加者が３回目の発表で当選する確率は（１／１０）×（１／９）×（１／８）＝１／７２０となり、参加者が２４名居る場合は当選者がこの時点で出る確率は約１／３０になり、第４回目の発表での当選者は約５人になる。
【００１０】
【実施例２】
図２において、主催者側のカード１１には３通りのシール群４１、４１・・・、４２、４２・・・、及び４３、４３・・・を有し、各群のシールにはそれぞれ１から１０までの数字が記され、かつ群ごとに異なる色彩が施されている。また、参加者側のカード１２も３通りの空欄群５１、５１、５１、５２、５２、５２、５３、５３、５３を有し、各群の空欄にはシール群に対応して群ごとに異なる色彩が施されている。
なお、残余の符号の部分は図１と同様である。
【００１１】
このカードの配布を受けた参加者は、各群ごとに３枚づつシールを剥離して、これを対応する色彩の空欄に貼着し、実施例１の場合と同様にゲームを進める。即ち、本実施例では参加者は図１に示したカード３枚の配布を受けた場合に等しく、当選確率は３倍に高まる。即ち、３回目の数字の発表で当選者が出る確率は３倍に高まる。即ち、３回目の数字の発表で当選者が出る確率は、参加者を２４名とすると約１／１０になる。
【００１２】
【実施例３】
図３において、主催者側のカード２１は４通りのシール群４１、４１・・・、４２、４２・・・、４３、４３・・・及び４４、４４・・・を有し、各群のシールにはそれぞれ１から１２までの数字が記され、かつ群ごとに異なる色彩が施されている。参加者側のカード２２には４群の空欄５１、５１・・・、５２、５２・・・５３、５３・・・及び５４、５４が４個づつ設けられておりこれらは上記シール群に対応して色分けされている。更に参加者側のカード２２には上記空欄の群ごとに同様に色分けされたエース・シール８１、８２、８３、８４が粘着剤で貼着されている。
【００１３】
この実施例も、実施例２と同様の方法でゲームを進めるが、各シール群内の数字の種類が多いだけ大人数で楽しむことができ、かつ群数が４群あるので当選確率を引下げて遊技の面白味を増すことができる。エース・シール８１、８２、８３、８４は、参加者側のカードの空欄に貼られているシールの数字が、主催者が指定した数字であったときに、そのシールの上に重ねて貼るものであり、どの数字の代わりにもなり得るオールマイティー・シールとして、ゲームを一層面白くする。
【００１４】
これらの実施例のほか、１個の遊技で当選者が現れなかった場合に、その賞金または賞品を次回の遊技の当選者に回すなど遊技方法を工夫することにより遊技を一層面白くすることができる。
【００１５】
【考案の効果】
以上のように、本考案による用紙を用いたゲームは、参加人数が少ない場合でも充分楽しむことができるので、特に参加者が１０名以下の小集会やバス遊行の車中で実施するのに適している。
【図面の簡単な説明】
【図１】本考案の実施例１を示す図である。
【図２】本考案の実施例２を示す図である。
【図３】本考案の実施例３を示す図である。
【符号の説明】
１、１１、２１　　主催者側カード
２、１２、２２　　参加者側カード
３　　　　　　　　切取線
４、４１〜４４　　シール
５、５１〜５４　　空欄
６　　　　　　　　通し番号
７　　　　　　　　小孔
８１〜８４　　　　エース・シール
【図１】
0003097086.tif 000003
【図２】
0003097086.tif 000004
【図３】
0003097086.tif 000005